(57)【要約】【課題】取付けとともに控え具の取外しをも容易とし、しかも取付け状態でのスッキリとした外観性の向上を図ることも可能な、竪樋取付け用の控え具とする。【解決手段】建物躯体に固定される固定脚部１の前方先端の左右には竪樋５の外周面の一部を受止めする支持面２を有する支持受け片部３を備えるとともに、左右の支持受け片部３の一方の端部において回動自在に連結される連結部４１と、支持受け片部３の他方の端部において着脱自在に嵌合される嵌合係止部４２並びに両者の間に竪樋外周面を握り込む握り受面を有している可動握り片部４を備えている竪樋取付け用の控え具６であって、可動握り片部４の嵌合係止部４２には建物躯体側に向う着脱操作用の突起片４４が設けられているとともに、連結部４１と嵌合係止部４２とは、嵌合状態においては左右の側端よりも建物躯体側にあるように配置されているものとする。【選択図】図１
2010053524.tif 000002
【特許請求の範囲】
【請求項１】
建物躯体に固定されている固定脚部の前方先端の左右には竪樋の外周面の一部を受止めする支持面を有する支持受け片部を備えるとともに、前記左右の支持受け片部の一方の端部において回動自在に連結される連結部と、支持受け片部の他方の端部において着脱自在に嵌合される嵌合係止部並びに前記連結部と嵌合係止部との間に竪樋外周面を握り込む握り受面を有している可動握り片部を備えている竪樋取付け用の控え具であって、前記可動握り片部の嵌合係止部には建物躯体側に向う着脱操作用の突起片が設けられているとともに、前記連結部と嵌合係止部とは、嵌合係止部での嵌合状態においては可動握り片部の左右の側端よりも建物躯体側にあるように配置されていることを特徴とする竪樋取付け用の控え具。
【請求項２】
可動握り片部の連結部と嵌合係止部とは、固定脚部の前方への軸線と竪樋の軸中心とを結ぶ直線に対して、竪樋の軸中心での開き角度が各々略４５°の位置にあるように配置されていることを特徴とする請求項１に記載の竪樋取付け用の控え具。
【発明の詳細な説明】
【技術分野】
【０００１】
本発明は、建物躯体への竪樋取付け用の控え具に関するものである。
【背景技術】
【０００２】
従来より、竪樋を建物躯体に取付けるに際しては、竪樋外周面の一部を受止めるとともに、固定脚部で建物躯体に固定される支持受け片部と、一端がこれに連結されて竪樋の前方外周面を握り込み他端がこれに嵌合される嵌合係止部とを有する可動握り片部とを有する控え具が用いられている（たとえば特許文献１および２を参照）。
【０００３】
たとえば図５および図６の斜視図と平面図に示したように、従来の控え具においては、建物躯体に固定される固定脚部１の前方先端部の左右に竪樋の外周面の一部を受止める支持面２を有する支持受け片部３を備えている。また、支持受け片部３の一方の端部においてヒンジ軸支構造等によって回動自在に連結される連結部４１と、他方の端部において着脱自在に嵌合される嵌合係止部４２並びにこの両者の間に竪樋外周面を握り込む握り受面４３とを有している可動握り片部４とを備えている。そして、可動握り片部４における連結部４１と嵌合係止部４２とは、各々、左右の側端に位置するように配置されている。
【０００４】
このような従来の控え具によれば、可動握り片部４の嵌合係止部４２での操作用の突起片４４を有する嵌合係止部４２を手先で押し込むことによって比較的容易に竪樋の取付けができるとされている。また、取外す時には、この突起片４４を前方に引くことで可動握り片部４を開いて竪樋を取外すことが可能とされている。
【特許文献１】特開平１０−２６６４９４号公報
【特許文献２】特開２００２−１３８６３５号公報
【発明の開示】
【発明が解決しようとする課題】
【０００５】
しかしながら、従来の竪樋取付け用の控え具の場合には、前記の突起片４４を有する嵌合係止部４２が側端に位置されているため、その押し込み操作による取付けは容易であるものの、取外しは必ずしも容易でないという問題があった。それと言うのも、実際の取外しでは、図６にも矢印で示したように、嵌合係止部４２を前方より押しつけながら突起片４４を左側方へ広げて脱着させるという、強制的な変形をともなう操作が必要とされ、取外しが必ずしも容易でなかったからである。
【０００６】
しかもまた、従来の控え具では、連結部４１と嵌合係止部４２とが側端に位置するために、前方から見た場合にこれらが突出することで外観性が必ずしも好ましくないという問題もあった。
【０００７】
そこで、本発明は、これらの問題点を解消して、取付けとともに控え具の取外しをも容易とし、しかも取付け状態でのスッキリとした外観での外観性の向上を図ることも可能な、竪樋取付け用の新しい控え具を提供することを課題としている。
【課題を解決するための手段】
【０００８】
上記の課題を解決するため、本発明の控え具は以下のことを特徴としている。
【０００９】
第１：建物躯体に固定されている固定脚部の前方先端の左右には竪樋の外周面の一部を受止めする支持面を有する支持受け片部を備えるとともに、前記左右の支持受け片部の一方の端部において回動自在に連結される連結部と、支持受け片部の他方の端部において着脱自在に嵌合される嵌合係止部並びに前記連結部と嵌合係止部との間に竪樋外周面を握り込む握り受面を有している可動握り片部を備えている竪樋の取付け用の控え具であって、前記可動握り片部の嵌合係止部には建物躯体側に向う着脱操作用の突起片が設けられているとともに、前記連結部と嵌合係止部とは、嵌合係止部での嵌合状態においては可動握り片部の左右の側端よりも建物躯体側にあるように配置されている。
【００１０】
第２：前記の可動握り片部の連結部と嵌合係止部とは、固定脚部の前方への軸線と竪樋の軸中心とを結ぶ直線に対して、竪樋の軸中心での開き角度が各々略４５°の位置にあるように配置されている。
【発明の効果】
【００１１】
前記第１の発明によれば、前記可動握り片部の嵌合係止部には建物躯体側に向う着脱操作用の突起片が設けられているとともに、前記連結部と嵌合係止部とは、嵌合係止部での嵌合状態においては可動握り片部の左右の側端よりも建物躯体側にあるように配置されていることから、従来のような強制的変形をともなうことなく、操作用の突起片を外側方へ引くだけの操作で容易に取外すことが可能となる。取付け時には押し込むだけでよい。
【００１２】
このため、取付けだけでなく、取外しも極めて容易となる。
【００１３】
また、連結部と嵌合係止部とが建物躯体側に配置されているので、前方から見た場合の露出度は著しく低減されてスッキリした外観として外観性はより好ましいものとなる。
【００１４】
また、この配置を特定化した第２の発明によれば、前記の効果はより顕著なものとして確実なものとなる。
【発明を実施するための最良の形態】
【００１５】
本発明の一実施形態について以下に添付の図面を参照しつつ説明する。
【００１６】
図１は、本発明の控え具の実施形態についての斜視図であり、図２はその平面図、図３は水平断面図、図４は図１の実施形態の控え具について脱着時の開いた状態の斜視図である。控え具６は、円筒形の竪樋５に対応するものとしてその平面形状は円弧状、略円形となるようにしている。この控え具６は、建物躯体、たとえば建物の壁面や柱部にビス、釘等の固定具をもって固定される固定脚部１の前方先端の左右に竪樋５の外周面の一部を受止めする支持面２を有する支持受け片部３を備えている。また、前記左右の支持受け片部３は、好ましくは左右において、ほぼ同様の長さで左右一対のものとして考慮される。また、左右のいずれかの一端には可動握り片部４の一端を連結する連結部３１と、他端での嵌合部３２とを有している。これに対応して、可動握り片部４は、一端において支持受け片部３の連結部３１に、たとえばヒンジ構造による軸支等で回動自在に連結される連結部４１と、支持受け片部３の嵌合部３２に着脱自在に嵌合される嵌合係止部４２を有し、その両者の間には竪樋５の外周面を握り込む握り受面４３を一体として有している。
【００１７】
そして、前記の連結部４１、並びに嵌合係止部４２は、取付け時の嵌合状態では、図２および図３からも明らかなように、可動握り片部４の左右の側端Ａ１、Ａ２よりも建物躯体側にあるように配置されている。
【００１８】
このような配置とすることで、図２、図３に矢印で示したように、従来のような強制的変形をともなうことなく、後述する操作用の突起片４４を外側方へ引くだけで容易に取外しを行うことができる。また、取付け時には簡単に押し込むだけでよい。
【００１９】
これによって、取付けとともに取外しも容易となる。
【００２０】
しかもまた、取付け時には、建物躯体と反対側の前方から見た場合の連結部４１と嵌合係止部４２との側方への突出露出度は従来の控え具に比べてはるかに著しく低減されスッキリとした外観として外観性を好ましく向上させることができる。連結部４１や嵌合係止部４２は、竪樋の背後にかくれるようになる。
【００２１】
以上のような容易な取外し性や外観性向上の特徴は、可動握り片部４の連結部４１と嵌合係止部４２とが、図３に示したように、固定脚部１の前方への軸線と竪樋５の軸中心とを結ぶ直線に対して、竪樋の軸中心での開き角度θが各々略４５度（実際的には４３〜４８度）の位置にあるように配置されることで、より顕著で確実なものとなる。
【００２２】
また、支持受け片部３の嵌合部３２への嵌合係止部４２の嵌合の構造についてはその細部は様々であってよいが、いずれの場合でも、嵌合係止部４２においては、建物躯体側に向う着脱操作のための突起片４４が設けられている。この突起片４４を備えた嵌合係止部４２での嵌合の構造としては、たとえば、図３の水平断面図と図４の脱着時の開いた状態の斜視図からも明瞭なように、たとえば支持受け片部３の嵌合部３２に設けた略円形柱３２１の切欠き３２２に、嵌合係止部４２の断面Ｃ字形部４２１が嵌合するようにした構造が好適な例として示される。突起片４４は、取付け状態においては固定脚部１と略平行となるようにすることが好ましく考慮される。
【００２３】
たとえばこのような嵌合の構造や突起片４４の配置によって、従来の控え具についての図６と図３との対比のように、図３の実施形態の場合の操作用の突起片４４と支持受け片部３との間の空間Ｂは従来の場合の空間Ｃよりもはるかに大きなものとなり、前記のように、取外しの操作が容易とされるとともに確実で安定した嵌合も実現される。しかもまた、前記のように突起片４４を固定脚部１と略平行とすることで、前記のような外観性の向上効果を損なうこともない。
【００２４】
なお、突起片４４については、嵌合の安定性や操作性からも、図１および図４のように、可動握り片部４の端部の略中央で突出しているようにするのが好ましい。
【００２５】
もちろん本発明は以上の実施の形態に限定されることはない。様々なものであってよい。
【００２６】
また、控え具の素材についても、樹脂、あるいは金属・樹脂複合材等の適宜なもであってよい。
【図面の簡単な説明】
【００２７】
【図１】本発明の控え具に係る一実施形態の斜視図である。
【図２】図１に対応する平面図である。
【図３】図１および図２に対応する水平断面図である。
【図４】開いた状態の斜視図である。
【図５】従来の控え具の斜視図である。
【図６】図５に対応する平面図である。
【符号の説明】
【００２８】
１  固定脚部
２  支持面
３  支持受け片部
３１  連結部
３２  嵌合部
３２１  略円形柱
３２２  切欠き
４  可動握り片部
４１  連結部
４２  嵌合係止部
４２１  断面Ｃ字形部
４３  握り受面
４４  突起片
５  竪樋
６  控え具
Ａ１、Ａ２  側端
Ｂ、Ｃ  空間
θ  開き角度
【図１】
2010053524.tif 000003
【図２】
2010053524.tif 000004
【図３】
2010053524.tif 000005
【図４】
2010053524.tif 000006
【図５】
2010053524.tif 000007
【図６】
2010053524.tif 000008